(57)【要約】【課題】互いに異なる潤滑剤で潤滑して互いに潤滑媒体密にした駆動構造体及び打撃機構構造体における切替可能な切替クラッチを有する組み合わせ電動手工具装置のための複数個の特別機能を有するモード選択切替装置を得る。【解決手段】モード選択切替装置１を有する組み合わせ電動手工具装置であって、更に、切替クラッチ３ａを有する潤滑される構造体２ａと外側ハウジング４との間に配置するとともに、モード選択切替装置１によって移動可能な切替バー５により特別な機能に切り替わることができる組み合わせ電動手工具装置において、互いに潤滑媒体密に分離された少なくとも２個の構造体２ａ，２ｂ内でそれぞれ切替可能に切替クラッチ３ａ，３ｂを設け、これら切替クラッチ３ａ，３ｂをそれぞれ外部に向かって突出する部分を潤滑媒体密にして配置した操作手段６ａ，６ｂによって移動自在にする。【選択図】　　　　図１
2004009291.tif 000002
【特許請求の範囲】
【請求項１】
モード選択切替装置（１）を有する組み合わせ電動手工具装置であって、更に、切替クラッチ（３ａ）を有する潤滑される構造体（２ａ）と外側ハウジング（４）との間に配置するとともに、前記モード選択切替装置（１）によって移動可能な切替バー（５）により特別な機能に切り替わることができる組み合わせ電動手工具装置において、互いに潤滑媒体密に分離された少なくとも２個の構造体（２ａ，２ｂ）内でそれぞれ切替可能に切替クラッチ（３ａ，３ｂ）を設け、これら切替クラッチ（３ａ，３ｂ）をそれぞれ外部に向かって突出する部分を潤滑媒体密にして配置した操作手段（６ａ，６ｂ）によって移動自在にしたことを特徴とする組み合わせ電動手工具装置。
【請求項２】
前記操作手段（６ａ，６ｂ）を、構造体ハウジング（７）内で回転可能に、また潤滑媒体密に配置した回転操作手段として構成した請求項１記載の電動手工具装置。
【請求項３】
前記回転操作媒体手段に偏心させて配置した偏心突起（８ａ，８ｂ）を設け、これら偏心突起を切替バー（５）に設けた所定の長孔に案内掛合させた請求項２記載の電動手工具装置。
【請求項４】
第１の潤滑媒体密の構造体（２ａ）をグリース潤滑する駆動構造体とし、第２の潤滑媒体密の構造体（２ｂ）をオイル潤滑する打撃機構構造体として構成した請求項１記載の電動手工具装置。
【請求項５】
モード選択切替装置（１）の特別な機能により、切替バー（５）を介してモータ切替器（９）を捕捉する及び／又はセンサ切替器（１０）及びモータ電子回路（１１）を介して電気的にモータ回転数を変化させるようにした請求項１乃至４のうちのいずれか一項に記載の電動手工具装置。
【発明の詳細な説明】
【０００１】
【発明の属する技術分野】
本発明は、少なくとも部分的に回転及び／又は打撃の組み合わせ動作をする電動手工具装置、特に、コンビハンマーのための回転移動可能なモード選択切替装置に関するものである。
【０００２】
【従来の技術】
独国特許第１００３１０５０号明細書には、手操作で回転移動できるモード選択切替装置によって、＜回転穿孔＞、＜打撃穿孔＞、＜削岩＞，＜削岩‐位置決め＞のうちの２，３個又は全部を選択し、また駆動構造体又は打撃機構構造体をそれに対応するよう組み合わせを機械的に切り替えることが記載されている。多くの切替クラッチの組み合わせは、駆動構造体と打撃機構構造体の潤滑内部に配置した切替板によって行っている。
【０００３】
独国特許第４０００８２２号明細書には、潤滑グリースを充填した駆動構造体と乾燥した外部との間を潤滑媒体密にして偏心突起を配置した回転移動自在のモード選択切替装置が記載されている。すべての切替機能は、駆動構造体及び打撃機構構造体の内部で生ずる。
【０００４】
独国特許第１９９３７７６７号明細書には、単一の動作モードを電気的及び機械的な特別の機能を割り当て、駆動構造体及び外部ハウジングとの間に配置するとともに、偏心突起を有するモード選択切替装置によって移動可能なモータ切替器における切替バーに偏心突起を掛合させ、この偏心突起の端部側の磁石がホールセンサによって潤滑剤のないモータハウジング内の駆動モータの制御電子回路に作用するようにし、＜削岩＞の際にモータ切替器を捕捉し、またモータ回転数を増大させることが記載されている。これは、単に潤滑した駆動構造体と打撃機構構造体を設けるだけである。
【０００５】
【発明が解決しようとする課題】
本発明の目的は、互いに異なる潤滑剤で潤滑して互いに潤滑媒体密にした少なくとも２個の駆動構造体及び打撃機構構造体のそれぞれにおける複数個の切替可能な切替クラッチを有する組み合わせ電動手工具装置のための複数個の特別機能を有するモード選択切替装置を得るにある。
【０００６】
【課題を解決するための手段】
この目的を達成するため、本発明は、好適には、回転移動自在のモード選択切替装置を有する組み合わせ電動手工具装置であって、更に、切替クラッチを有する潤滑される構造体と外側ハウジングとの間に配置するとともに、前記モード選択切替装置によって移動可能な切替バーによって特別な機能に切り替わることができる組み合わせ電動手工具装置において、互いに潤滑媒体密に分離された少なくとも２個の構造体内でそれぞれ切替可能に切替クラッチを設け、これら切替クラッチをそれぞれ外部に向かって突出する部分を潤滑媒体密にして配置した操作手段によって移動自在にしたことを特徴とする。
【０００７】
各構造体から外部に向かって突出し、潤滑媒体密に配置した少なくとも２個の操作手段であって、それぞれモード選択切替装置又は切替バーによって移動自在の操作手段を介して、互いに異なる、即ち、オイル及びグリースで潤滑した構造体内に配置した切替クラッチを、潤滑されない中間空間に配置した特別機能のための切替バーによって切替可能にする。
【０００８】
前記操作手段を、構造体ハウジング内で回転可能に、また潤滑媒体密に配置した回転操作手段として構成すると、例えば、Ｏリングによって技術的に簡単にシールすることができて好適である。
【０００９】
前記回転操作媒体手段に偏心させて配置した偏心突起を設け、これら偏心突起を切替バーに設けた所定の長孔に案内掛合させると、回転操作手段の回転が切替バーの移動に変換することができて好適である。
【００１０】
第１の潤滑媒体密の構造体をグリース潤滑する駆動構造体とし、第２の潤滑媒体密の構造体をオイル潤滑する打撃機構構造体として構成すると、最適な磨耗防止効果が得られて好適である。
【００１１】
モード選択切替装置の特別な機能により、切替バーを介してモータ切替器を捕捉する及び／又はセンサ切替器及びモータ電子回路を介して電気的にモータ回転数を変化させるようにすると、組み合わせ電動手工具装置の利用価値が増大して好適である。
【００１２】
【発明の実施の形態】
次に、図面につき本発明の好適な実施の形態を説明する。
【００１３】
図１又は図２に示すように、それぞれ少なくとも部分的に回転及び／又は打撃を組み合わせた電動手工具装置に回転可能なモード選択切替装置１を設ける。このモード選択切替装置１は、切替クラッチ３ａを有する潤滑される構造体２ａと外側ハウジング４に配置した切替バー５との間でモード切替装置１は移動可能である。グリース潤滑される駆動構造体及びオイル潤滑される打撃機構体の形式の互いに潤滑媒体密に分離された構造体２ａ，２ｂのそれぞれに、切替可能な切替クラッチ３ａ，３ｂを設け、各切替クラッチは、それぞれ外側に向かって突出する構造体ハウジング７に対してＯリング１２ａ，１２ｂにより潤滑媒体密に操作手段６ａ，６ｂを構造体ハウジング７において回転自在にしている。操作手段６ａ，６ｂは、偏心させて配置しかつ切替バー５の各開口に案内可能に掛合した偏心突起８ａ，８ｂと、切替クラッチ３ａ，３ｂに掛合する制御突出部１３ａ，１３ｂとによって構成する。モード選択切替装置１の特別な機能により、切替バー５及び停止レバー構成１５を介してモータスイッチ９を機械的に切替状態に捕捉可能にし、また電気的に非接触な磁気的シーソーで制御されるホール切替器の形式のセンサスイッチ１０及びモータ電子回路１１によってモータ回転数を変化させることができる。
【図面の簡単な説明】
【図１】組み合わせ電動手工具装置の断面図である。
【図２】特別な機能を有するモード選択切替装置の説明図である。
【符号の説明】
１　モード切替装置
２ａ，２ｂ　構造体
３ａ，３ｂ　切替クラッチ
４　外側ハウジング
５　切替バー
６　操作手段
７　構造体ハウジング
８ａ，８ｂ　偏心突起
９　モータスイッチ
１０　センサスイッチ
１１　モータ電子回路
１２ａ，１２ｂ　Ｏリング
１３ａ，１３ｂ　制御突出部
【図１】
2004009291.tif 000003
【図２】
2004009291.tif 000004